(57)【特許請求の範囲】
【請求項１】
一つの居室の全域に、板状の天井材が取り付けられ、
該居室の周縁に沿って周縁部材が、前記天井材の下側に重ね合わせるように取り付けられ、
該周縁部材は、
前記天井材の下側に当接して取り付けられる板状の下地材と、
この下地材を下側から覆うように取り付けられる木質材からなる板状の仕上げ材とを有し、
前記下地材は、居室の中央側の縁部は、下面付近が突き出した断面形状の係止受部を有し、  居室の周縁側の端縁を居室の壁面に突き当て、  留め付け部材によって前記天井材又は該天井材が取り付けられた天井支持材に固定され、
前記仕上げ材は、居室の中央側の端部に、前記下地材の前記係止受部に係止される係止部を有し、該係止部が前記係止受部に係止され、該下地材に重ね合わされて該下地材の下側の全域を覆い、  居室の周縁側の端縁は前記下地材の居室周縁側の端縁と水平方向の位置が一致するものであり、  該端縁を居室の壁面に突き当て、該周縁側の端部が、該仕上げ材を貫通する留め付け部材で固定されていることを特徴とする天井。
【請求項２】
前記仕上げ材及び前記下地材は、居室の周縁に沿った位置に複数の継目が設けられ、
前記仕上げ材の継目の位置は、前記下地材の継目と異なる位置に設けられていることを特徴とする請求項１に記載の天井。
【請求項３】
前記仕上げ材は、居室の周縁側に、下面側を切り欠いた部分を有し、
前記留め付け部材は、前記切り欠いた部分を貫通するように設けられていることを特徴とする請求項１に記載の天井。
【請求項４】
居室の天井の周縁部に、天井材の下側に当接して取り付けられる板状の下地材と、
前記居室の周縁に沿って、前記下地材を下側から覆うように取り付けられる木質材からなる板状の仕上げ材とを有し、
前記下地材は、居室の中央側の縁部に、下面付近が突き出した断面形状となった係止受部を有し、
前記仕上げ材は、居室の中央側の端部に、前記下地材の係止受け部に係止される係止部を有し、該係止部が前記係止受部に係止されたときに該下地材の下側に重ね合わされて下面の全域を覆い、居室の周縁側の端縁は前記下地材の居室周縁側の端縁と水平方向の位置が一致するものであることを特徴とする天井周縁部材。
【発明の詳細な説明】
【０００１】
【発明の属する技術分野】
本願発明は、住居、事務所等における居室の天井、又は天井に用いられる内装部材である天井周縁部材に係り、特に天井の周縁部に中央部とは異種の内装材を体裁よく取り付け、快適な空間の形成に寄与する天井に関するものである。
【０００２】
【従来の技術】
事務所等の天井又は住居における洋室の天井は、合成木材からなる板状部材を貼り付けるもの、石こうボード等の天井下地材にクロス等の内装材を貼り付けるものが広く採用されている。このような天井は、明るくて軽快感のある居室を安価で形成できるという長所を備えている。
一方、日本古来の木造建築では、板材を全面に貼り付け、木目の美しさを生かした天井が一般的に採用されている。このような木質材を用いた天井は、高級感を有するとともに、居室内にいる者に対して「やすらぎ」感を与えることができるという特徴を備えている。
【０００３】
【発明が解決しようとする課題】
しかしながら、事務所や居室の洋室で木質部材を天井の全面に使用すると、居室内にいる者に対して圧迫感を与えることがある。また、天井が低く感じられることもある。このような問題点を解決するために、木質部材を天井の一部に用いることが考えられるが、一部にだけ木質部材を用いると、木質部材を取り付けるための釘やビスの頭部が露出し易く、体裁の悪いものになり易い。また、釘やビスが露出しないように特殊な加工を行ったり、特殊な金具等を用いるとコストが嵩むことになる。
一方、木質部材は耐火性を備えていないので、防火性を考慮した構造が必要となる。
【０００４】
本願発明は、上記のような事情に鑑みてなされたものであり、その目的は、居室の周縁部に中央部とは異種の材料を用いて快適な空間を形成するとともに耐火性を有する天井を提供すること、居室の周縁部に周縁部材が体裁よく取り付けられた天井を提供すること、又は上記天井に用いられる天井周縁部材を提供することである。
【０００５】
【課題を解決するための手段】
上記課題を解決するために、請求項１に係る発明は、  一つの居室の全域に、板状の天井材が取り付けられ、  該居室の周縁に沿って周縁部材が、前記天井材の下側に重ね合わせるように取り付けられ、  該周縁部材は、  前記天井材の下側に当接して取り付けられる板状の下地材と、  この下地材を下側から覆うように取り付けられる木質材からなる板状の仕上げ材とを有し、  前記下地材は、居室の中央側の縁部は、下面付近が突き出した断面形状の係止受部を有し、  居室の周縁側の端縁を居室の壁面に突き当て、  留め付け部材によって前記天井材又は該天井材が取り付けられた天井支持材に固定され、  前記仕上げ材は、居室の中央側の端部に、前記下地材の前記係止受部に係止される係止部を有し、該係止部が前記係止受部に係止され、該下地材に重ね合わされて該下地材の下側の全域を覆い、  居室の周縁側の端縁は前記下地材の居室周縁側の端縁と水平方向の位置が一致するものであり、  該端縁を居室の壁面に突き当て、該周縁側の端部が、該仕上げ材を貫通する留め付け部材で固定されていることを特徴とする天井を提供する。
【０００６】
上記構成に含まれる留め付け部材は、釘、ビス、ボルト等を含むものであり、この他にも下地材又は仕上げ材をしっかりと固定することができる様々の形態のものを用いることができる。
【０００７】
上記のような天井では、居室の全域に取り付けられた天井材に、下側から下地材が取り付けられるので、ビス等の留め付け部材を上記天井材に貫入することによって容易に下地材を固定することができる。そして、この下地材は、仕上げ材を取り付けることによって覆われ、居室内から見えなくなるので留め付け部材の位置について特別な配慮は不要となり、作業効率は良好なものとなる。
【０００８】
仕上げ部材は、居室の中央部を下地材に係止することによって支持され、ビス等の留め付け部材を使用する必要はない。一方、周縁側は留め付け部材によって固定されるが、留め付け部材を壁面と近接した位置に設けることができ、居室内からは目立たないようにすることができる。
【０００９】
また、この天井は、下地材を天井材に固定した後、仕上げ材を居室の中央側から周縁側へ押しつけることによって、下地材に容易に係止させることができ、仕上げ材の居室中央側をしっかりと支持することができる。
【００１０】
請求項２に係る発明は、請求項１に記載の天井において、  前記仕上げ材及び前記下地材は、居室の周縁に沿った位置に複数の継目が設けられ、  前記仕上げ材の継目の位置は、前記下地材の継目と異なる位置に設けられているものとする。
【００１１】
居室の周縁に沿った全周に周縁部材を設けると、板状の周縁部材に複数の継ぎ目を設ける必要が生じる。そして、板状の部材を突き合わせるように固定すると位置が多少ずれたり段差が生じ易い。しかし、上記発明のように、下地材と仕上げ材との継ぎ目の位置が異なっていると、仕上げ材の継ぎ目の位置では、下地材が連続しており、この下地材に押し付けるようにして仕上げ材を取り付けることにより、継ぎ目の両側の仕上げ材を位置がずれないように正確に取り付けることが容易となる。
【００１２】
請求項３に係る発明は、請求項２に記載の天井において、  前記仕上げ材は、居室の周縁側に、下面側を切り欠いた部分を有し、  前記留め付け部材は、前記切り欠いた部分を貫通するように設けられているものとする。
【００１３】
このような天井では、仕上げ部材を固定する留め付け部材の頭部が仕上げ部材の切り欠いた部分内に露出するが、この切り欠いた部分は壁面に沿って凹状となり、居室内から目立つことはない。したがって、周縁部材を体裁よく取り付けることができる。
【００１４】
請求項４に係る発明は、  居室の天井の周縁部に、天井材の下側に当接して取り付けられる板状の下地材と、  前記居室の周縁に沿って、前記下地材を下側から覆うように取り付けられる木質材からなる板状の仕上げ材とを有し、  前記下地材は、居室の中央側の縁部に、下面付近が突き出した断面形状となった係止受部を有し、  前記仕上げ材は、居室の中央側の端部に、前記下地材の係止受け部に係止される係止部を有し、該係止部が前記係止受部に係止されたときに該下地材の下側に重ね合わされて下面の全域を覆い、居室の周縁側の端縁は前記下地材の居室周縁側の端縁と水平方向の位置が一致するものであることを特徴とする天井周縁部材を提供するものである。
【００１５】
このような天井周縁部材では、下地材は係止受部のある縁を居室の中央側にして、天井の周縁に取り付けられる。このとき、ビス、釘等の留め付け部材を用いて簡単に固定することができ、留め付け部材の位置も特に配慮する必要がない。
一方、仕上げ部材は居室中央側を、既に取り付けられた下地材の係止受部に支持させることができ、反対側すなわち居室の周縁側は留め付け部材等を用いて固定することができる。
【００１６】
【発明の実施の形態】
以下、本願に係る発明の実施の形態を図に基づいて説明する。
図１は、請求項１、請求項２又は請求項３に記載の発明の一実施形態である天井の構造を示す概略断面図である。また、図２は、図１中に示すＡ部及びＢ部の拡大図、図３は、この天井に用いられる天井周縁部材の概略斜視図である。
なお、図３に示す天井周縁部材は、請求項４に記載の発明の一実施形態である。
【００１７】
この天井は、居室内の全域に、野縁２に支持される天井材３が取り付けられ、居室の周縁部には、天井材３の下側に周縁部材１が上記天井材３と重ね合わせるように取り付けられている。
この周縁部材１は、図４に示すように、居室内の全周にわたって取り付けられる。なお、図１に示す符号４は柱、符号５は壁の内装下地材である。
上記天井材３は、石こうボード等耐火性を有する板材が用いられ、下面には内装用のクロス９が貼着される。この内装用のクロス９は、居室の中央部から周縁部材と一部が重なる範囲に貼着されているが、壁面に沿って周縁部材１で覆われる範囲には貼着されていない。
【００１８】
上記周縁部材１は、下地材１１と仕上げ材１２とからなり、いずれも木質の板状部材である。
下地材１１は、所定幅を有する長方形状に切断されたものであり、居室の中央側となる端面１１ａは、図２（ａ）又は図３に示すように、下面側が張り出すように傾斜したものとなっている。この下地材１１は、図２又は図５に示すように、ビス６で天井材３又は天井材を支持する野縁２に固定されている。
また、この下地材１１は、仕上げ材１２で覆われるため、化粧仕上げ等は施されておらず、合板材等が使用される。
【００１９】
仕上げ材１２は、下地材１１よりやや幅の広い板材であり、居室中央側の縁部が上側に増厚された係止部１２ａとなっている。この係止部１２ａは標準部１２ｂとの境界に、上記下地材１１の傾斜した端面１１ａと対応する傾斜面１２ｃが形成されており、図５に示すように固定された下地材１１と重ね合わせて、上記傾斜面１２ｃを下地材１１の傾斜した端面１１ａに当接させる。これにより、図２（ａ）に示すように、仕上げ材１２の居室中央側が下地材１１に係止され、ビス、釘等を用いることなく、しっかりと支持することができる。
【００２０】
この仕上げ材１２の居室周縁側は、下面側に切り欠き１２ｄが設けられており、図２（ｂ）に示すように壁面８に突き当てるように取り付けられて壁面に沿った凹部を形成するようになっている。そして、この切り欠き部にビス７が貫通され、仕上げ材１２は下地材１１又は天井材３に固定されている。
なお、この仕上げ材１２の下面及び居室中央側の端面は居室内に露出するため、化粧仕上げがなされており、例えば、木目を生かした塗装が施されている。
【００２１】
上記下地材１１及び仕上げ材１２は、複数枚を組み合わせて居室の天井の全周にわたって設けられ、その継ぎ目は、図６に示すように、下地材１１の継ぎ目１１ｂの位置と仕上げ材１２の継ぎ目１２ｅの位置とが異なるように設けられる。これにより、継ぎ目の両側の仕上げ材は連続する下地材によって位置が決められ、位置のずれや段差を生じることなく、正確に取り付けることが可能となっている。
【００２２】
居室の入隅部は、一方の壁面８ａに沿った下地材１２−１を他方の壁面８ｂ近くまで取り付けることにより、入隅部用の仕上げ材１３を同様に取り付けることができる。
また、居室の形状によっては出隅部が生じるが、一方の壁面８ｂに沿った下地材１２−２を出隅から延長して取り付けておき、出隅用の仕上げ材１４を同様に係止させて取り付けることができる。
【００２３】
このような天井では、耐火性を有する天井が居室の全域に用いられ、防火性に優れたものとなるとともに、周縁部材１が用いられることによって、居室が高級感、やすらぎ感を与えるものとなる。また、周縁部材１は、ビス又は釘等を用いて簡単に取り付けることができるとともに、ビス、釘等の頭部は目立たないように仕上げることができる。
【００２４】
次に、本発明と同様に板状の天井周縁部材を用いた天井の他の例を参考として説明する。
図７は、この天井の概略断面図であり、図８は、図７中に示すＣ部及びＤ部の拡大図である。なお、この天井に用いられる周縁部材２０は、請求項１１に記載の発明の一実施形態である。
【００２５】
この天井の野縁２及び天井材３は、図１に示す天井と同じものが用いられている。
周縁部材２０は、居室の周縁部で壁面に突き当てるように取り付けられる第１の部材２１と、第１の部材２１に沿って居室中央側に取り付けられる板状の第２の部材２２と、さらに第２の部材２２の居室中央側に取り付けられる第３の部材２３とで構成されている。これらの部材は、いずれも木質材であり、それぞれの下面と、第３の部材２３の居室中央側の端面２３ａとに化粧仕上げが施されている。
【００２６】
第１の部材２１は、居室中央側の縁辺に沿って、上面側に切断面が矩形の切り欠きが設けられ、下面側には、上面側より広い幅の切り欠きが設けられている。これにより、厚さ方向の中位部分が居室中央側に突き出し、第２の部材２２を支持する係止受部２１ａとなっている。この第１の部材は、下面側に切り欠きが設けられた範囲内にビス２４を貫通し、天井材３に貫入することによって固定される。
【００２７】
上記第２の部材２２は、居室周縁側に沿って上面側に、第１の部材の切り欠きと対応する凸部２２ａが設けられ、下面側には、第１の部材の縁部を覆う張り出し部２２ｂを備えている。そして、中位部分は凹状となり、第１の部材２１の係止受部２１ａと嵌め合わすことができるようになっている。一方、第２の部材２２の居室中央側は、第１の部材の居室中央側と同じ断面形状となっており、第３の部材２３を支持する係止受部２２ｃを有するとともに、ビス２４で天井材３に固定される。
【００２８】
第３の部材２３は、居室周縁側が第２の部材２２の居室周縁側と同じ断面形状を有し、第２の部材２２に嵌め合わすことができるようになっている。
【００２９】
このような周縁部材２０は、図８（ａ）に示すように、第１の部材２１を壁面に沿って取り付け、ビス２４によって固定した後、図９（ａ）に示すように、第２の部材２２を居室中央側から第１の部材２１に嵌め合わせる。これにより、第２の部材２２の位置決めがなされるとともに居室周縁側が支持される。また、第２の部材２２の下面側に設けられた張り出し部２２ｂが第１の部材２１を固定するビス２４の頭部を覆い、居室内から見たときの仕上がりが良好なものとなる。
また、第２の部材２２の居室中央側は、図８（ｂ）又は図９（ｂ）に示すように、ビス２４によって天井材３に固定した後、第３の部材２３を居室中央側から嵌め合わすことができる。この第３の部材２３は、第２の部材２２を固定するビス２４の頭部を覆った状態で、接着剤により固定される。
【００３０】
なお、このような周縁部材２０が用いられる天井の入隅部では、図１０に示すように、第１の部材２１は、軸線と４５°の角度に切断された端面を突き合わせるように接合され、入隅部用の矩形板材２５の２辺が直角に接合された第１の部材２１と嵌め合わされ、支持される。
また、この矩形板材２５の居室中央側には隣接する第３の部材２３と連続するように入隅用の見付部材２６が、接着剤によって取り付けられる。
一方、出隅部では、出隅用の矩形板状２７が、一つの頂角部を第１の部材２１の接合部に嵌め合わせ、居室中央側の２辺をビスで天井材に固定することによって支持される。そして、居室中央側の頂角部には出隅用の見付部材２８が取り付けられる。
【００３１】
【発明の効果】
以上、説明したように、本願に係る天井は、防火性に優れ、インテリア性に富んだ快適な空間を形成する。また、周縁部材を体裁よく容易に取り付けることができる。
【図面の簡単な説明】
【図１】  請求項１、請求項２又は請求項３に記載の発明の一実施形態である天井の構造を示す概略断面図である。
【図２】  図１中に示すＡ部及びＢ部の拡大図である。
【図３】  図１に示す天井に用いられる天井周縁部材の概略斜視図である。
【図４】  図１の天井を用いた居室の内部を示す概略図である。
【図５】  図３に示す周縁部材の取り付け方法を示す概略図である。
【図６】  図１に示す天井の部分平面図である。
【図７】  図１に示す天井と同様に板状の天井周縁部材を用いた天井の他の例を参考として示す概略断面図である。
【図８】  図７中に示すＣ部及びＤ部の拡大図である。
【図９】  図７に示す天井で用いられる周縁部材の取り付け方法を示す概略図である。
【図１０】  図７に示す天井の部分平面図である。
【符号の説明】
１        周縁部材
２        野縁
３        天井材
４        柱
５        壁の内装下地材
６、７    ビス
８        壁面
９        内装用のクロス
１１      下地材
１２      仕上げ材
１３      入隅部用の仕上げ部材
１４      出隅部用の仕上げ部材
２０      周縁部材
２１      第１の部材
２２      第２の部材
２３      第３の部材
２４      ビス
２５      入隅部用の矩形部材
２６      入隅部用の見付部材
２７      出隅部用の矩形部材
２８      出隅部用の見付部材
【図１】
0004205291.tif 000002
【図２】
0004205291.tif 000003
【図３】
0004205291.tif 000004
【図４】
0004205291.tif 000005
【図５】
0004205291.tif 000006
【図６】
0004205291.tif 000007
【図７】
0004205291.tif 000008
【図８】
0004205291.tif 000009
【図９】
0004205291.tif 000010
【図１０】
0004205291.tif 000011